【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
送信対象データを、他の情報処理装置に送信する情報処理装置であって、
前記送信対象データに対応するオブジェクトを、ライブビュー画像と共に表示画面に表示させる表示制御手段と、
前記表示画面上で、前記オブジェクトのいずれかと、前記ライブビュー画像に被写体として含まれる人物のいずれかを関連付ける関連付け操作を受け付ける受付手段と、
前記受付手段に受け付けられた関連付け操作の対象となったオブジェクトに対応する送信対象データの送信先として、前記関連付け操作によって前記オブジェクトに関連付けられた人物に対応する他の情報処理装置を特定する特定手段と、
を備えることを特徴とする情報処理装置。
【請求項２】
前記関連付け操作とは、前記オブジェクトのいずれかを、前記ライブビュー画像上に移動させる操作であることを特徴とする請求項１に記載の情報処理装置。
【請求項３】
前記関連付け操作とは、前記オブジェクトのいずれかを、前記ライブビュー画像に被写体として含まれる１以上の人物のいずれかの位置に移動させるドラッグアンドドロップ操作であることを特徴とする請求項１又は２に記載の情報処理装置。
【請求項４】
前記ライブビュー画像から人物の顔を検出する検出手段をさらに備え、
前記受付手段は、前記オブジェクトのいずれかと、前記検出手段によって顔が検出された人物のいずれかを関連付ける関連付け操作を受け付けることを特徴とする請求項１に記載の情報処理装置。
【請求項５】
前記表示制御手段は、前記検出手段が検出した顔を含む領域を、前記表示画面に表示させている画像内で明示することを特徴とする請求項４に記載の情報処理装置。
【請求項６】
前記ライブビュー画像から人物の顔を検出する検出手段をさらに備え、
前記特定手段は、前記ドラッグアンドドロップ操作によって移動されたオブジェクトがドロップされた位置に、前記検出手段が顔を検出した人物が表示されていた場合に、当該人物を前記送信先として特定し、
かつ、前記検出手段が顔を検出した人物が表示されていない場合には、前記ドラッグアンドドロップされたオブジェクトが送信対象として特定されている状態を解除することを特徴とする請求項３に記載の情報処理装置。
【請求項７】
前記ライブビュー画像の１フレームに相当する静止画像から、前記送信先の候補となる人物の顔が撮像されている領域を検出する検出手段をさらに備え、
前記特定手段は、前記オブジェクトが前記ドラッグアンドドロップ操作によって移動されたオブジェクトがドロップされた位置が、前記検出手段が検出した領域のいずれかに含まれている場合に、該領域に撮像された顔に対応する他の情報処理装置を、前記送信先として特定することを特徴とする請求項３に記載の情報処理装置。
【請求項８】
前記検出手段は、前記オブジェクトを移動させるドラッグアンドドロップ操作が終了したことに応じて、前記ライブビュー画像の１フレームに相当する静止画像から、人物の顔が撮像されている領域を検出することを特徴とする請求項６又は７に記載の情報処理装置。
【請求項９】
前記検出手段は、前記オブジェクトを移動させるドラッグアンドドロップ操作が終了したことに応じて、前記ライブビュー画像の１フレームに相当する静止画像のうち、前記オブジェクトを移動させる操作が終了した位置の周辺から優先して人物の顔が撮像されている領域を検出することを特徴とする請求項８に記載の情報処理装置。
【請求項１０】
前記ライブビュー画像の１フレームに相当する静止画像のうち、前記検出手段が検出した領域内の画像に基づいて、当該領域に顔が撮像された人物を識別する情報を認識する認識手段をさらに備えることを特徴とする請求項７乃至９のいずれか１項に記載の情報処理装置。
【請求項１１】
前記認識手段は、前記オブジェクトを移動させる操作を開始したことに応じて、前記ライブビュー画像の１フレームに相当する静止画像のうち、前記検出手段が検出した領域内の画像に基づいて、当該領域に顔が撮像された人物を識別する情報を認識することを特徴とする請求項１０に記載の情報処理装置。
【請求項１２】
前記認識手段は、前記検出手段が検出した領域のうち、前記オブジェクトが移動される方向に存在する領域から優先して、該領域内の画像に基づいて当該領域に顔が撮像された人物を識別する情報を認識することを特徴とする請求項１１に記載の情報処理装置。
【請求項１３】
前記認識手段は、前記オブジェクトが移動される操作における位置情報と移動速度の情報とに基づいて、前記検出手段が検出した領域のうち、優先して該領域内の画像に基づいて当該領域に顔が撮像された人物を識別する情報を認識する領域を決定することを特徴とする請求項１２に記載の情報処理装置。
【請求項１４】
前記特定手段は、前記認識手段によって認識された人物の識別情報として、該人物と関連付けられたアドレス情報を取得し、前記送信対象データを送信する方法を、前記取得したアドレス情報の種類に応じて選択する送信制御手段を更に備えることを特徴とする請求項１０乃至１３のいずれか１項に記載の情報処理装置。
【請求項１５】
前記関連付け操作が行われたオブジェクトが表す送信対象データを表す情報を、前記関連付け操作で関連付けられた人物に対応する送信先に送信する送信手段を備えることを特徴とする請求項１乃至１４のいずれか１項に記載の情報処理装置。
【請求項１６】
前記送信手段は、前記関連付け操作で関連付けられた人物に対応する送信先に、外部記憶装置に記憶された前記送信対象データの識別情報を送信することを特徴とする請求項１５に記載の情報処理装置。
【請求項１７】
前記関連付け操作が行われたオブジェクトに対応する前記送信対象データを記憶する外部記憶装置に、前記関連付け操作で関連付けられた人物に対応する送信先を表す情報と、前記送信先に対して前記送信対象データを送信する指示を送信することによって、前記送信対象データを、前記送信先に送信させる送信制御手段をさらに備えることを特徴とする請求項１乃至１４のいずれか１項に記載の情報処理装置。
【請求項１８】
コンピュータに読み込ませ実行させることで、前記コンピュータを請求項１乃至１７のいずれか１項に記載の情報処理装置の各手段として機能させるためのプログラム。
【請求項１９】
請求項１８に記載されたプログラムを記憶したコンピュータが読み取り可能な記憶媒体。
【請求項２０】
送信対象データを、他の情報処理装置に送信する情報処理装置の制御方法であって、
表示制御手段により、前記送信対象データに対応するオブジェクトを、ライブビュー画像と共に表示画面に表示させる表示制御工程と、
受付手段により、前記表示画面上で、前記オブジェクトのいずれかと、前記ライブビュー画像に被写体として含まれる人物のいずれかを関連付ける関連付け操作を受け付ける受付工程と、
特定手段により、前記受付工程で受け付けた関連付け操作の対象となったオブジェクトに対応する送信対象データの送信先として、前記関連付け操作によって前記オブジェクトに関連付けられた人物に対応する他の情報処理装置を特定する特定工程と、
を備えることを特徴とする情報処理装置。
【手続補正２】
【補正対象書類名】明細書
【補正対象項目名】０００７
【補正方法】変更
【補正の内容】
【０００７】
上記の目的を達成するために、本発明は、送信対象データを、他の情報処理装置に送信する情報処理装置であって、前記送信対象データに対応するオブジェクトを、ライブビュー画像と共に表示画面に表示させる表示制御手段と、前記表示画面上で、前記オブジェクトのいずれかと、前記ライブビュー画像に被写体として含まれる人物のいずれかを関連付ける関連付け操作を受け付ける受付手段と、前記受付手段に受け付けられた関連付け操作の対象となったオブジェクトに対応する送信対象データの送信先として、前記関連付け操作によって前記オブジェクトに関連付けられた人物に対応する他の情報処理装置を特定する特定手段とを備えることを特徴とする。